(57)【要約】【課題】撮像素子基板に実装された撮像素子に機械的な負荷をかけることなく、撮像素子基板のグランド露出部と装置本体のグランド部材とを電気的に接続することができる仕組みを提供する。【解決手段】撮像装置は、撮像素子基板１０４を備え、撮像素子基板１０４は、撮像素子１０２が実装される撮像素子実装部１０４ｂと、コネクタ２０２が実装されるコネクタ実装部１０４ａと、撮像素子実装部１０４ｂとコネクタ実装部１０４ａとを電気的に接続する接続部２０１とを有する。接続部２０１は、フレキシブルプリント基板とされ、撮像素子実装部１０４ｂ、及びコネクタ実装部１０４ａは、共にハード基板とされて、光軸と直交する方向に並設され、コネクタ実装部１０４ａのコネクタ２０２の実装面と反対側の面に、グランド露出部２０３が設けられ、グランド露出部２０３と装置本体のグランド部材１０１とが導電性弾性部材１０３を介して電気的に接続される。【選択図】図４
2014045346.tif 000002
【特許請求の範囲】
【請求項１】
撮像素子が実装される撮像素子基板を備える撮像装置であって、
前記撮像素子基板は、前記撮像素子が実装される撮像素子実装部と、コネクタが実装されるコネクタ実装部と、前記撮像素子実装部と前記コネクタ実装部とを電気的に接続する接続部とを有し、
前記接続部は、フレキシブルプリント基板とされ、前記撮像素子実装部、及び前記コネクタ実装部は、共にハード基板とされて、光軸と直交する方向に並設され、
前記コネクタ実装部の前記コネクタの実装面と反対側の面に、グランド露出部が設けられ、
前記グランド露出部と装置本体のグランド部材とが導電性弾性部材を介して電気的に接続されることを特徴とする撮像装置。
【請求項２】
前記コネクタ実装部には、前記撮像素子実装部の前記撮像素子の実装面の反対側を向く面に、前記コネクタが実装されることを特徴とする請求項１に記載の撮像装置。
【請求項３】
前記コネクタは、ワイヤ部材を介して前記装置本体のメイン基板に電気的に接続され、  前記コネクタ、及び前記ワイヤ部材は、前記コネクタ実装部を保持するコネクタ保持部材により弾性部材を介して光軸方向に押えられることを特徴とする請求項１又は２に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、撮像素子が実装される撮像素子基板にフレキシブルプリント基板を用い、撮像素子基板における撮像素子の実装面と反対側の面にグランド露出部を設けたものがある（特許文献１）。
【先行技術文献】
【特許文献】
【０００３】
【特許文献１】特開２０１１−１１９８６０号公報
【発明の概要】
【発明が解決しようとする課題】
【０００４】
しかし、上記特許文献１では、撮像素子基板のグランド露出部とカメラ本体のグランド部材とを電気的に接続する際に、撮像素子基板に実装された撮像素子に機械的な負荷がかかり、撮像素子の性能に悪影響を及ぼすことが懸念される。
【０００５】
そこで、本発明は、撮像素子基板に実装された撮像素子に機械的な負荷をかけることなく、撮像素子基板のグランド露出部と装置本体のグランド部材とを電気的に接続することができる仕組みを提供することを目的とする。
【課題を解決するための手段】
【０００６】
上記目的を達成するために、本発明は、撮像素子が実装される撮像素子基板を備える撮像装置であって、前記撮像素子基板は、前記撮像素子が実装される撮像素子実装部と、コネクタが実装されるコネクタ実装部と、前記撮像素子実装部と前記コネクタ実装部とを電気的に接続する接続部とを有し、前記接続部は、フレキシブルプリント基板とされ、前記撮像素子実装部、及び前記コネクタ実装部は、共にハード基板とされて、光軸と直交する方向に並設され、前記コネクタ実装部の前記コネクタの実装面と反対側の面に、グランド露出部が設けられ、前記グランド露出部と装置本体のグランド部材とが導電性弾性部材を介して電気的に接続されることを特徴とする。
【発明の効果】
【０００７】
本発明によれば、撮像素子基板に実装された撮像素子に機械的な負荷をかけることなく、撮像素子基板のグランド露出部と装置本体のグランド部材とを電気的に接続することができる。
【図面の簡単な説明】
【０００８】
【図１】本発明の撮像装置の実施形態の一例であるデジタルカメラのカメラ本体の分解斜視図である。
【図２】正面カバーユニットを構成するグランド部材と撮像部との分解斜視図である。
【図３】図２の組立状態を示す斜視図である。
【図４】（ａ）は撮像素子基板を撮像素子の実装面の反対側の面から見た図、（ｂ）は撮像素子基板を撮像素子の実装面側から見た図である。
【図５】撮像部を撮像素子の実装面側から見た斜視図である。
【発明を実施するための形態】
【０００９】
以下、本発明の実施形態の一例を図面を参照して説明する。
【００１０】
図１は、本発明の撮像装置の実施形態の一例であるデジタルカメラのカメラ本体の分解斜視図である。
【００１１】
本実施形態のデジタルカメラは、カメラ本体に対して、不図示のレンズ鏡筒、グリップ部、及びハンドル部がそれぞれ着脱可能に装着される。カメラ本体は、図１に示すように、正面カバーユニット３０１、右カバーユニット３０２、左カバーユニット３０３、背面カバーユニット３０４、及び底面カバーユニット３０５により外装が形成される。
【００１２】
また、カメラ本体の内部には、ＣＭＯＳセンサやＣＣＤセンサ等の撮像素子１０２を含む撮像部３０６、放熱用遠心ファン３０７、ヒートシンク兼ダクト３０８、メイン基板３０９、及び放熱板３１０が光軸に沿って配置される。ここで、カメラ本体は、装置本体の一例に相当する。
【００１３】
図２は正面カバーユニット３０１を構成するグランド部材１０１と撮像部３０６との分解斜視図、図３は図２の組立状態を示す斜視図である。
【００１４】
図２及び図３を参照して、グランド部材１０１は、例えばマグネシウムダイキャストとステンレス鋼板等で形成され、電気容量の比較的大きな導通部材とされている。撮像部３０６は、撮像素子１０２、導電性弾性部材１０３、撮像素子基板１０４、ワイヤ部材１０５、保持プレート１０６、及びコネクタ保持部材１０７を備える。
【００１５】
撮像素子基板１０４のグランド部材１０１側の面には、撮像素子１０２が実装される。ワイヤ部材１０５は、撮像素子基板１０４とメイン基板３０９とを電気的に接続する。保持プレート１０６は、撮像素子基板１０４の撮像素子１０２の実装面の反対側に配置され、ＵＶ硬化接着材等により撮像素子１０２に固定されて撮像素子１０２を保持する。
【００１６】
コネクタ保持部材１０７は、合成樹脂製の基体１０７ｂと、基体１０７ｂに接続される弾性部材１０７ａとを備える。コネクタ保持部材１０７の基体１０７ｂは、ビス１０８等によりグランド部材１０１に固定され、保持プレート１０６は、ビス１０９等によりグランド部材１０１に固定される。
【００１７】
図４（ａ）は撮像素子基板１０４を撮像素子１０２の実装面の反対側の面から見た図、図４（ｂ）は撮像素子基板１０４を撮像素子１０２の実装面側から見た図である。
【００１８】
図４に示すように、撮像素子基板１０４は、撮像素子１０２が実装される撮像素子実装部１０４ｂと、コネクタ２０２が実装されるコネクタ実装部１０４ａと、撮像素子実装部１０４ｂとコネクタ実装部１０４ａとを電気的に接続する接続部２０１とを有する。
【００１９】
ここで、接続部２０１は、フレキシブルプリント基板とされ、また、撮像素子実装部１０４ｂとコネクタ実装部１０４ａは、共にハード基板とされて、光軸と直交する方向に略平行に並設される。
【００２０】
コネクタ実装部１０４ａには、撮像素子実装部１０４ｂの撮像素子１０２の実装面の反対側を向く面に、コネクタ２０２が実装される。コネクタ実装部１０４ａには、撮像素子実装部１０４ｂの撮像素子１０２の実装面側の面のコネクタ２０２の近傍位置、本実施形態では、コネクタ２０２から接続部２０１側に離れたコネクタ２０２の近傍位置に、グランド露出部２０３が設けられる。
【００２１】
図５は、撮像部３０６を撮像素子１０２の実装面側から見た斜視図である。図５に示すように、グランド露出部２０３には、導電性弾性部材１０３が貼り付けられて電気的に接続されている。本実施形態では、コネクタ実装部１０４ａのコネクタ２０２の実装面とは反対側の面にグランド露出部２０３を配置している。このため、コネクタ２０２の信号線の足２０２ａ（図４（ａ）参照）と導電性弾性部材１０３が短絡するおそれがなく、また、撮像素子１０２からコネクタ２０２までの配線を邪魔することがない。
【００２２】
図３に戻って、グランド部材１０１と撮像部３０６とを組み立てた状態では、コネクタ２０２は、弾性部材１０７ａを介してコネクタ保持部材１０７により押えられ、コネクタ２０２の裏側に配置された導電性弾性部材１０３は、グランド部材１０１に当接する。これにより、撮像素子基板１０４のグランド露出部２０３とグランド部材１０１とが導電性弾性部材１０３を介して電気的に接続される。
【００２３】
本実施形態では、弾性部材１０７ａを介してコネクタ保持部材１０７がコネクタ２０２を光軸方向に押えるため、コネクタ２０２の抜けが防止される。また、コネクタ実装部１０４ａを弾性部材１０７ａを介してコネクタ保持部材１０７により固定するため、コネクタ実装部１０４ａを直接ビス止めする場合に比べ、接続部２０１の上下方向の幅を短くできる。即ち、コネクタ実装部１０４ａを直接ビス止めする場合、コネクタ実装部１０４ａに設けるビス挿通穴と固定先のビス穴との位置合わせが必要となるため、コネクタ実装部１０４ａの位置ずれを許容するだけの接続部２０１の幅が必要となるからである。
【００２４】
また、本実施形態では、ワイヤ部材１０５も弾性部材１０７ａを介してコネクタ保持部材１０７で光軸方向に押えられる。このため、撮像素子基板１０４のグランド露出部２０３とグランド部材１０１とを電気的に接続する際に、ワイヤ部材１０５を引っ張る等しても、コネクタ実装部１０４ａは、弾性部材１０７ａの弾性範囲内で移動する。
【００２５】
そして、この弾性部材１０７ａの弾性範囲内での移動量は、フレキシブルプリント基板からなる接続部２０１の変形により吸収される。したがって、撮像素子実装部１０４ｂに実装された撮像素子１０２に対して機械的な負荷がかかることがない。
【００２６】
以上説明したように、本実施形態では、撮像素子基板１０４に実装された撮像素子１０２に機械的な負荷をかけることなく、撮像素子基板１０４のグランド露出部２０３とグランド部材１０１とを電気的に接続することができる。
【００２７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２８】
１０１  グランド部材
１０２  撮像素子
１０３  導電性弾性部材
１０４  撮像素子基板
１０４ａ  コネクタ実装部
１０４ｂ  撮像素子実装部
２０１  接続部
２０２  コネクタ
２０３  グランド露出部
【図１】
2014045346.tif 000003
【図２】
2014045346.tif 000004
【図３】
2014045346.tif 000005
【図４】
2014045346.tif 000006
【図５】
2014045346.tif 000007